(57)【要約】【課題】設置場所の状態を容易に監視することが可能な通信装置を提供する。【解決手段】所定の設置場所に設置され、通信可能に接続された１又は複数の端末の親機として機能し、１又は複数の端末とともに内部通信網を形成する通信装置であって、所定の設置場所の状態を検出するセンサ部と、外部通信網に接続され、センサ部による検出結果を内部通信網の外部に送信する通信部と、を有する。【選択図】図１
2020036289.tif 000002
【特許請求の範囲】
【請求項１】
所定の設置場所に設置され、通信可能に接続された１又は複数の端末の親機として機能し、前記１又は複数の端末とともに内部通信網を形成する通信装置であって、
前記所定の設置場所の状態を検出するセンサ部と、
外部通信網に接続され、前記センサ部による検出結果を前記内部通信網の外部に送信する通信部と、
を有することを特徴とする通信装置。
【請求項２】
前記通信部は、
電話交換機を介して前記外部通信網に接続され、
前記センサ部による検出結果を、前記外部通信網に接続された他の装置に前記電話交換機を介して送信することを特徴とする請求項１に記載の通信装置。
【請求項３】
前記通信部は、前記所定の設置場所の外部に位置する監視装置と無線によって接続され、前記センサ部による検出結果を前記監視装置に無線により送信することを特徴とする請求項１に記載の通信装置。
【請求項４】
前記所定の設置場所は建築物の内部に設けられ、
前記センサ部は、前記所定の設置場所における前記建築物の傾きを検出することを特徴とする請求項１乃至３のいずれか１に記載の通信装置。
【請求項５】
前記センサ部は加速度センサを含み、前記加速度センサによるセンサ結果に基づいて前記建築物の傾きを検出することを特徴とする請求項４に記載の通信装置。
【請求項６】
前記通信部は、前記センサ部による検出結果を前記１又は複数の端末に送信することを特徴とする請求項１乃至５のいずれか１に記載の通信装置。
【請求項７】
所定の設置場所に設置され、通信可能に接続された１又は複数の端末の親機として機能し、前記１又は複数の端末とともに内部通信網を形成する通信装置により実行される前記所定の設置場所の状態の監視方法であって、
前記所定の設置場所の状態を検出するステップと、
検出結果を前記内部通信網の外部に送信するステップと、
を含むことを特徴とする監視方法。
【発明の詳細な説明】
【技術分野】
【０００１】
本発明は、通信装置及び監視方法に関する。
【背景技術】
【０００２】
建物は、防犯、消防、エレベータ、発電、蓄電、照明、空調、冷暖房、駐車場、免震、制振、電話、ＩＴ（Information Technology）等に係る種々のシステムを有する。
【０００３】
例えば、電話に係るシステムの１つであるＰＨＳ（Personal Handy-phone System）等の移動体通信システムでは、基地局の無線エリア内にいる移動体端末が基地局に無線接続することにより、電話としてのサービスを実現している。すなわち、基地局は、コードレス電話の親機としての役割を有している。
【０００４】
コードレス電話システムを用いたサービスとして、複数の基地局を建物内の空間に対応させるように配置することにより、サービスの提供ができるエリアをテナント毎に分けたり、テナントに依存しない共用の呼出エリアを設定したりすることが可能に構成したコードレス電話システムが提案されている（例えば、特許文献１）。
【先行技術文献】
【特許文献】
【０００５】
【特許文献１】特開平６−３５１０５７号公報
【発明の概要】
【発明が解決しようとする課題】
【０００６】
ＰＨＳ等の基地局は、例えば建物の内部に設置されている。基地局が設置されている建物について、老朽化等による傾きの状態を監視する必要がある場合、通常は、基地局とは別に建物の状態を監視するセンサ機器を用意する必要がある。このため、センサ機器を用意するコストがかかり、センサ機器の設置場所の調査が必要であるという問題があった。換言すると、建物の状態を容易に監視することができないという問題があった。
【０００７】
本発明は上記問題点に鑑みてなされたものであり、設置場所の状態を容易に監視することが可能な通信装置及び監視方法を提供することを目的とする。
【課題を解決するための手段】
【０００８】
本発明に係る通信装置は、所定の設置場所に設置され、通信可能に接続された１又は複数の端末の親機として機能し、前記１又は複数の端末とともに内部通信網を形成する通信装置であって、前記所定の設置場所の状態を検出するセンサ部と、外部通信網に接続され、前記センサ部による検出結果を前記内部通信網の外部に送信する通信部と、を有することを特徴とする。
【０００９】
本発明に係る監視方法は、所定の設置場所に設置され、通信可能に接続された１又は複数の端末の親機として機能し、前記１又は複数の端末とともに内部通信網を形成する通信装置により実行される前記所定の設置場所の状態の監視方法であって、前記所定の設置場所の状態を検出するステップと、検出結果を前記内部通信網の外部に送信するステップと、を含むことを特徴とする。
【発明の効果】
【００１０】
本発明に係る通信装置によれば、通信装置の設置場所の状態を容易に監視することが可能となる。
【図面の簡単な説明】
【００１１】
【図１】本実施例の通信システムの構成を示す図である。
【図２】通信システムにおける基地局装置の構成を示すブロック図である。
【図３】実施例１の通信システムの動作を示すシーケンス図である。
【図４】実施例２の通信システムの構成を示すブロック図である。
【図５】実施例２の通信システムの動作を示すシーケンス図である。
【発明を実施するための形態】
【００１２】
以下、本発明の実施例について、図面を参照して説明する。なお、以下の各実施例における説明及び添付図面においては、実質的に同一又は等価な部分には同一の参照符号を付している。
【実施例１】
【００１３】
図１は、本実施例の通信システム１００の構成を示す図である。通信システム１００は、基地局装置１０、主装置２０及び監視センタ装置３０から構成されている。
【００１４】
基地局装置１０は、ＰＨＳ（Personal Handy-phone System）等の無線通信の基地局としての機能を有する無線通信装置である。基地局装置１０は、例えばビル等の建物ＢＬの内部に設置されている。
【００１５】
基地局装置１０は、ＰＨＳの電話端末（例えば、図１に示す移動端末Ｔ１）と無線によって接続され、ＰＨＳの電話サービスを実現している。すなわち、基地局装置１０は、通信可能に接続された１又は複数の端末の親機として機能し、当該１又は複数の端末とともに内部通信網を形成する通信装置である。また、基地局装置１０は、主装置２０を介して外部の公衆通信網である電話回線網に接続されている。
【００１６】
図２は、基地局装置１０の構成を示すブロック図である。基地局装置１０は、センサ部１１、制御部１２、無線部１３及び回線部１４から構成されている。
【００１７】
センサ部１１は、基地局装置１０が設置されている設置場所の状態、すなわち設置場所やその周辺環境等のパラメータを検出するために設けられている。本実施例では、センサ部１１は、例えば加速度センサを含み、重力加速度に基づいて、基地局装置１０が設置されている設置場所における建物ＢＬの傾きを検出する。センサ部１１は、制御部１２からの要求に応じて、加速度センサが検知した情報データ（以下、センサ情報と称する）を検出結果として制御部１２に供給する。
【００１８】
制御部１２は、例えばＣＰＵ（Central Processing Unit）から構成され、基地局装置１０の各部の制御を行う。制御部１２は、内部バスを介してセンサ部１１、無線部１３及び回線部１４と接続されている。
【００１９】
無線部１３は、基地局装置１０の通信エリア内に位置する移動端末（例えば、図１に示す移動端末Ｔ１）と無線による音声データの送受信を行う。また、無線部１３は、回線部１４との間で音声データの送受信を行う。すなわち、無線部１３は、通信エリア内の移動端末から受信した音声データを回線部１４に供給し、回線部１４から供給された音声データを移動端末に送信する。
【００２０】
回線部１４は、通信回線ＣＬを介して主装置２０と接続され、主装置２０を介して外部の電話回線網との間で音声データや制御データ等の情報の送受信を行う。本実施例では、回線部１４は、監視センタ装置３０から主装置２０を介してセンサ情報を要求する要求信号を受信し、受信した当該要求信号を制御部１２に供給する。また、回線部１４は、制御部１２からセンサ情報の供給を受け、主装置２０を介して当該センサ情報を示すデータ信号を監視センタ装置３０に送信する。
【００２１】
なお、図２における実線矢印は、基地局装置１０内の各部の間及び基地局装置１０と主装置２０との間で要求信号等の制御情報データの送受信が行われることを示している。また、破線矢印は、回線部１４と無線部１３との間及び基地局装置１０と主装置２０との間で音声データの送受信が行われることを示している。
【００２２】
主装置２０は、電子交換機やデジタル交換機等の電話交換機であり、電話回線網に接続されている。また、主装置２０は、通信回線ＣＬを介して基地局装置１０との間で音声データや制御データ等の情報の送受信を行う。本実施例では、主装置２０は、基地局装置１０に対してセンサ情報の送信を要求する要求信号を定期的に送信するように設定されている。
【００２３】
監視センタ装置３０は、電話回線網を介して主装置２０と接続され、主装置２０との間で情報の送受信を行う。例えば、監視センタ装置３０は、基地局装置１０のセンサ部１１における検出結果（センサ情報）を示すデータ信号を、主装置２０を介して受信する。監視センタ装置３０は、受信したデータ信号に基づいて、建物ＢＬの傾きについてのデータの収集、蓄積及び解析を行う。
【００２４】
回線終端装置４０は、主装置２０と監視センタ装置３０との間を、電話回線網を経由（回線経由）して接続する接続装置である。
【００２５】
次に、本実施例の通信システム１００の動作について、図３のシーケンス図を参照して説明する。
【００２６】
主装置２０は、センサ情報の送信を要求する要求信号を、通信回線ＣＬを介して基地局装置１０に送信する（Ｓ１０１）。
【００２７】
基地局装置１０の回線部１４は、主装置２０から要求信号を受信すると、当該要求信号を制御部１２に伝送する（Ｓ１０２）。制御部１２は、主装置２０から回線部１４を介して受信した要求信号に応じて、センサ情報を要求する情報送信要求をセンサ部１１に供給する（Ｓ１０３）。
【００２８】
センサ部１１は、制御部１２からの情報送信要求に応じて、センサ情報を示すデータ信号を制御部１２に供給する（Ｓ１０４）。センサ部１１は、例えば制御部１２から情報送信要求があった場合にのみ建物の状態を検出し、検出結果であるセンサ情報を制御部１２に送信するものであってもよい。また、制御部１２からの情報送信要求の有無にかかわらず定期的に建物の状態を検出してセンサ情報を保持しておき、保持していたセンサ情報を制御部１２からの情報送信要求に応じて制御部１２に供給するものであってもよい。
【００２９】
制御部１２は、センサ部１１から供給されたデータ信号を回線部１４に伝送する（Ｓ１０５）。回線部１４は、制御部１２から伝送されたデータ信号を、主装置２０に送信する（Ｓ１０６）。
【００３０】
主装置２０は、基地局装置１０の回線部１４から受信したデータ信号を監視センタ装置３０に送信する（Ｓ１０７）。本実施例では、主装置２０は、電話回線網を介してデータ信号を監視センタ装置３０に送信する。
【００３１】
監視センタ装置３０は、データ信号を受信し、データの収集、蓄積及び解析を行う（Ｓ１０８）。監視センタ装置３０は、例えば基地局装置１０のセンサ部１１による検出結果を示すデータ信号の経時的な変化に基づいて、基地局装置１０が設置されている建物の傾きを監視する。
【００３２】
以上のような処理ステップにより、基地局の設置場所の状態として、基地局装置１０が設置されている建物の傾きが監視される。
【００３３】
本実施例の基地局装置１０は、移動端末Ｔ１に電話サービスを提供する本来の基地局としての機能に加えて、センサ部１１により基地局装置１０が設置されている場所の傾きを検出する機能を有する。このため、基地局装置１０が設置されている建物等の状態を監視するために基地局装置１０の外部等に別のセンサやデバイスを配置する必要がない。また、基地局装置１０の設置場所である建物の状態の監視を容易に行うことができるため、点検頻度の低下を防止することができる。
【実施例２】
【００３４】
次に、本発明の実施例２について説明する。図４は、実施例２の通信システム２００の構成を示すブロック図である。
【００３５】
通信システム２００は、無線送受信器３１を有し、監視センタ装置３０が主装置２０ではなく無線送受信器３１を介して基地局装置１０と信号の送受信を行う点で、実施例１の通信システム１００と異なる。
【００３６】
無線送受信器３１は、基地局装置１０の外部に設けられ、監視センタ装置３０と有線又は無線で接続されている。無線送受信器３１は、センサ情報を要求する要求信号を監視センタ装置３０から受信し、受信した要求信号を基地局装置１０に送信する。また、無線送受信器３１は、センサ情報を示すデータ信号を基地局装置１０の無線部１３から受信し、受信したデータ信号を監視センタ装置３０に送信する。
【００３７】
次に、本実施例の通信システム２００の動作について、図５のシーケンス図を参照して説明する。
【００３８】
監視センサ３０は、センサ情報の送信を要求する要求信号を無線送受信器３１に送信する（Ｓ２０１）。無線送受信器３１は、監視センサ３０から要求信号を受信し、受信した要求信号を無線により基地局装置１０に送信する（Ｓ２０２）。
【００３９】
基地局装置１０の無線部１３は、無線送受信器３１から送信された要求信号を受信し、受信した要求信号を制御部１２に伝送する（Ｓ２０３）。制御部１２は、無線部１３を介して受信した監視センタ装置３０からの要求信号に応じて、センサ情報の送信を要求する情報送信要求をセンサ部１１に供給する（Ｓ２０４）。
【００４０】
センサ部１１は、制御部１２からの情報送信要求に応じて、センサ情報を示すデータ信号を制御部１２に供給する（Ｓ２０５）。なお、センサ部１１は、実施例１と同様、制御部１２から情報送信要求があった場合にのみ建物の状態を検出するものであってもよく、制御部１２からの情報送信要求の有無にかかわらず定期的に建物の状態を検出するものであってもよい。
【００４１】
制御部１２は、センサ部１１から供給されたデータ信号を無線部１３に伝送する（Ｓ２０６）。無線部１３は、制御部１２から伝送されたデータ信号を、無線送受信器３１に向けて無線送信する（Ｓ２０７）。
【００４２】
無線送受信器３１は、基地局装置１０の無線部１３から受信したデータ信号を監視センタ装置３０に送信する（Ｓ２０８）。
【００４３】
監視センタ装置３０は、データ信号を受信し、データの収集、蓄積及び解析を行う（Ｓ２０９）。監視センタ装置３０は、例えば基地局装置１０のセンサ部１１による検出結果を示すデータ信号の経時的な変化に基づいて、基地局装置１０が設置されている建物の傾きを監視する。
【００４４】
以上のような処理ステップにより、基地局の設置場所の状態として、基地局装置１０が設置されている建物の傾きが監視される。
【００４５】
本実施例の通信システム２００によれば、実施例１の通信システム１００とは異なり、主装置２０を経由せずに基地局の設置場所の状態を監視することが可能となる。
【００４６】
また、実施例１と同様、本実施例の基地局装置１０も、移動端末Ｔ１に電話サービスを提供する本来の基地局としての機能に加えて、センサ部１１により基地局装置１０が設置されている場所の傾きを検出する機能を有する。従って、基地局の設置場所である建物等の状態を監視するためのセンサやデバイスを基地局装置１０の外部に別途設ける必要がないため、監視を容易に行うことができ、点検頻度の低下を防止することが可能となる。
【００４７】
なお、本発明は上記実施形態に限定されない。例えば、上記実施例では、主装置２０が電子交換機やデジタル交換機等の電話交換機であって、電話回線網に接続されている場合について説明した。しかし、主装置２０は、ＩＰ−ＰＢＸ（Internet Protocol Private Branch eXchange）であってもよい。その場合、主装置２０は、電話回線網ではなくＩＰ経由で監視センタ装置３０に接続（ＩＰ接続）され、ＩＰ経由でデータ信号を監視センタ装置３０に送信する。かかる構成によれば、上位のＩＰネットワークに接続して監視を行うことも可能である。
【００４８】
また、上記実施例では、センサ部１１が加速度センサを含み、重力加速度に基づいて、基地局装置１０が設置されている設置場所の傾きを検出する場合について説明した。しかし、センサの種類は加速度センサに限られず、センサ部１１は他のセンサによって設置場所の傾きを検出するものであってもよい。
【００４９】
また、センサ部１１は、建物の傾き以外の情報を設置場所の状態（設置場所やその周辺環境等のパラメータ）として検出するものであってもよい。例えば、センサ部１１は、温度センサによって設置場所の温度を検出するものであってもよい。かかる構成によれば、基地局付近の温度を監視することが可能となる。
【００５０】
また、上記実施例では、基地局装置１０がセンサ情報を示すデータ信号を主装置２０や無線送受信器３１を介して監視センタ装置３０に送信し、収集、蓄積及び解析を行う場合を例として説明した。しかし、データ信号の送信先は監視センタ装置３０に限られない。例えば、基地局装置１０は、自身の通信エリア（セル）の範囲内に位置する移動端末に対して、センサ情報を示すデータ信号を無線送信するものであってもよい。これにより、移動端末を使用する端末使用者は、建物の状態をリアルタイムで覚知し、必要に応じて避難行動等をとることが可能となる。
【００５１】
また、上記実施例では、建物の態様としてビルを例示したが、例えば、建物は、土地（地上や地中）に接着して設置された門・塀・電柱・トンネル・橋・溝渠・建物等の工作物であってもよいし、土地（地上や地中）に定着する工作物のうち屋根及び柱もしくは壁を有する建築物であってもよい。例えば、建物は、自然人や機械（ロボット）が工作した（材料に手を加えて作った）ものではない洞窟（崖や岩にできた穴）のようなもののうち、人が住んだり物を収めたりする用途に用いるものであってもよい。
【符号の説明】
【００５２】
１００  通信システム
１０    基地局装置
１１    センサ部
１２    制御部
１３    無線部
１４    回線部
２０    主装置
３０    監視センタ
４０    回線終端装置
２００  通信システム
３１    無線送受信器
【図１】
2020036289.tif 000003
【図２】
2020036289.tif 000004
【図３】
2020036289.tif 000005
【図４】
2020036289.tif 000006
【図５】
2020036289.tif 000007